(57)【要約】【課題】複数の計測対象のパラメータを正確に計測しつつ省電力を図る。【解決手段】計測部１１ａ〜１１ｃと、計測時刻に起動して計測部に対して計測データＤ１ａ〜Ｄ１ｃを取得させる制御部１７と、計測時刻を記憶する記憶部１５とを備え、計測部毎に設けられて計測部に対する電源供給を制御する電源制御部１３ａ〜１３ｃを備え、記憶部は、各計測部のウォームアップに必要なウォームアップ時間を記憶し、制御部は、計測時刻とウォームアップ時間とに基づいて決定される各計測部に対するウォームアップ開始時刻毎に起動してウォームアップ開始時刻に至った計測部に対応する電源制御部を制御することによって計測部に対する電源供給を開始させた後に休止すると共に、計測時刻に再度起動してウォームアップ完了状態の計測部に対して計測データを取得させた後に休止する。【選択図】        図１
2004354118.tif 000002
【特許請求の範囲】
【請求項１】
計測対象についてのパラメータを計測して計測データを取得する複数の計測部と、予め決められた計測時刻に起動して前記計測部に対して前記計測データを取得させる制御部と、前記計測時刻を少なくとも記憶する第１記憶部とを備えた計測装置であって、
前記複数の計測部毎に設けられて当該計測部に対する電源供給を制御する複数の電源制御部を備え、
前記第１記憶部は、前記各計測部のウォームアップに必要なウォームアップ時間を記憶し、
前記制御部は、前記第１記憶部に記憶されている前記計測時刻と前記ウォームアップ時間とに基づいて決定される当該各計測部に対するウォームアップ開始時刻毎に起動して当該ウォームアップ開始時刻に至った当該計測部に対応する前記電源制御部を制御することによって当該計測部に対する電源供給を開始させた後に休止すると共に、当該計測時刻に再度起動してウォームアップ完了状態の前記複数の計測部に対して前記計測データを取得させた後に休止する計測装置。
【請求項２】
前記制御部は、起動状態のときに、前記各ウォームアップ時間と前記計測時刻とに基づいて次回の起動時刻を算出すると共に当該算出した次回の起動時刻において前記ウォームアップ開始時刻または前記計測時刻として起動する請求項１記載の計測装置。
【請求項３】
前記制御部は、通信部を経由して親局に前記計測データを送信する請求項１または２記載の計測装置。
【請求項４】
前記制御部は、前記計測データを入力して第２記憶部に記憶させると共に、前記親局からの要求に応じて前記第２記憶部に記憶されているすべての前記計測データを当該親局に送信する請求項３記載の計測装置。
【発明の詳細な説明】
【０００１】
【発明の属する技術分野】
本発明は、計測対象についてのパラメータを計測して計測データを取得する計測装置に関するものである。
【０００２】
【従来の技術】
この種の計測装置として、特開２００２−１４８０８７号公報に開示された計測装置が知られている。この計測装置は、同公報中の図１に示すように、被測定流体の流れる流路（１）に配置された第１，２の振動子（１２，１３）と、第１の振動子（１２）を駆動する駆動手段（１４）と、駆動手段（１４）を作動させる計測スタート信号を出力する制御手段（１５）と、第２の振動子（１３）の出力を受けて流路（１）内における被測定流体の流速を演算する流量演算手段（１６）と、制御手段（１５）と流量演算手段（１６）に対する電源入り切りを制御する電源制御手段（１７）と、計測時間間隔を管理するタイマ手段（１８）とを有している。
【０００３】
この計測装置では、まず、タイマ手段（１８）が電源を投入する信号を電源制御手段（１７）に送出して駆動手段（１４）および流量演算手段（１６）に対する電源の供給を開始させる。次いで、駆動手段（１４）および流量演算手段（１６）の動作が安定するのを待って、制御手段（１５）が駆動手段（１４）に計測スタート信号を送出する。これにより、この計測装置では、計測時以外では電力供給を停止して動作前に通電することにより、省電力動作を行うことができると共に、計測時では事前に計測系（駆動手段（１４）および流量演算手段（１６））に対して電源を供給して計測系の動作が安定してから（ウォームアップが完了してから）計測スタート信号を送出することにより、動作初期における不安定な状態を回避して計測することができる結果、正確な流量計測を行うことが可能となっている。
【０００４】
【特許文献１】
特開２００２−１４８０８７号公報（第４−５頁、第１図）
【０００５】
【発明が解決しようとする課題】
ところで、近年では、複数の計測部を備えて、同時に複数の計測対象についてのパラメータを計測する計測装置が開発されており、このような計測装置においても正確な計測を行いつつ省電力化を図ることが望まれている。
【０００６】
そこで、このような複数の計測部を備えた計測装置に、上記した従来の計測装置における省電力動作のための構成を適用することも考えられるが、この場合には、一つの電源制御手段がすべての計測部に対する電源制御を行う構成となる。したがって、この構成ではウォームアップに最も長時間を要する計測部に対して電力の供給を開始した際に、他の計測部にも電力の供給が開始されるため、他の計測部に対するウォームアップ時間が必要以上に長くなる結果、無駄な電力が消費されることになる。このため、この点を解決するのが好ましい。
【０００７】
本発明は、かかる課題を解決するためになされたものであり、複数の計測対象についてのパラメータを正確に計測しつつ省電力を図り得る計測装置を提供することを主目的とする。
【０００８】
【課題を解決するための手段】
上記目的を達成すべく請求項１記載の計測装置は、計測対象についてのパラメータを計測して計測データを取得する複数の計測部と、予め決められた計測時刻に起動して前記計測部に対して前記計測データを取得させる制御部と、前記計測時刻を少なくとも記憶する第１記憶部とを備えた計測装置であって、前記複数の計測部毎に設けられて当該計測部に対する電源供給を制御する複数の電源制御部を備え、前記第１記憶部は、前記各計測部のウォームアップに必要なウォームアップ時間を記憶し、前記制御部は、前記第１記憶部に記憶されている前記計測時刻と前記ウォームアップ時間とに基づいて決定される当該各計測部に対するウォームアップ開始時刻毎に起動して当該ウォームアップ開始時刻に至った当該計測部に対応する前記電源制御部を制御することによって当該計測部に対する電源供給を開始させた後に休止すると共に、当該計測時刻に再度起動してウォームアップ完了状態の前記複数の計測部に対して前記計測データを取得させた後に休止する。
【０００９】
請求項２記載の計測装置は、請求項１記載の計測装置において、前記制御部は、起動状態のときに、前記各ウォームアップ時間と前記計測時刻とに基づいて次回の起動時刻を算出すると共に当該算出した次回の起動時刻において前記ウォームアップ開始時刻または前記計測時刻として起動する。
【００１０】
請求項３記載の計測装置は、請求項１または２記載の計測装置において、前記制御部は、通信部を経由して親局に前記計測データを送信する。
【００１１】
請求項４記載の計測装置は、請求項３記載の計測装置において、前記制御部は、前記計測データを入力して第２記憶部に記憶させると共に、前記親局からの要求に応じて前記第２記憶部に記憶されているすべての前記計測データを当該親局に送信する。
【００１２】
【発明の実施の形態】
以下、添付図面を参照して、本発明に係る計測装置の好適な実施の形態について説明する。なお、以下では、一例として、この計測装置を子局として備えて親局に計測対象機器についての計測データを送信する計測システムについて説明する。
【００１３】
まず、計測システムＭＳの構成について、図面を参照して説明する。
【００１４】
計測システムＭＳは、図１に示すように、１または２以上（一例として１つ）の子局としての計測装置１、および親局２を備え、複数（一例として３つ）の計測対象機器３ａ，３ｂ，３ｃ（以下、特に区別しないときは「計測対象機器３」ともいう）についてのパラメータを計測可能に構成されている。一例として、本実施の形態では、計測装置１は、親局２と無線伝送路を介して通信可能に構成されている。
【００１５】
次に、計測装置１および親局２の各構成について具体的に説明する。
【００１６】
計測装置１は、図１に示すように、複数（一例として３つ）の計測部１１ａ，１１ｂ，１１ｃ（以下、特に区別しないときは「計測部１１」ともいう）、電源部１２、電源制御部１３ａ，１３ｂ，１３ｃ（以下、特に区別しないときは「電源制御部１３」ともいう）、時計部１４、記憶部１５、通信部１６および制御部１７を備えている。この場合、各計測部１１ａ〜１１ｃは、制御部１７からの指示に基づいて計測対象機器３ａ〜３ｃについてのパラメータを定期的に（所定時間Ｔｐ毎に）それぞれ計測して計測データＤ１ａ〜Ｄ１ｃ（以下、区別しないときには「計測データＤ１」ともいう）を取得すると共に制御部１７に出力する。ここで、計測対象機器３についてのパラメータとしては、計測対象機器３の内部温度や内部湿度、計測対象機器３内を流れる気体や液体の流量、計測対象機器３の任意部位における電流や電圧、計測対象機器３の消費電力、および計測対象機器３の内部信号についての特性（周波数、パルス幅および波高値等）などの少なくとも一つで構成される。
【００１７】
本実施の形態では、例えば、計測部１１ａは、計測対象機器３ａにおける所定部位の直流電圧をパラメータとして計測する。また、計測部１１ｂは、計測対象機器３ｂにおける所定部位の交流電圧をパラメータとして計測する。また、計測部１１ｃは、計測対象機器３ｃの内部温度をパラメータとして計測する。この場合、直流電圧を計測する計測部１１ａでは、ウォームアップ（計測を行う前に電源を予め供給しておいて動作を安定させることをいう）が殆ど必要とされない。また、交流電圧を計測する計測部１１ｂでは、ある程度の時間だけウォームアップを行う必要がある。一方、内部温度をパラメータとして計測する計測部１１ｃは、他の計測部１１ａ，１１ｂと比較して、ウォームアップを長時間行う必要がある。したがって、各計測部１１ａ〜１１ｃのウォームアップ時間Ｔａ，Ｔｂ，Ｔｃについては、以下、Ｔａ（＝０）＜Ｔｂ＜Ｔｃ（＜Ｔｐ）とする。
【００１８】
電源部１２は、図１に示すように、外部から入力した交流電圧または直流電圧（外部電圧Ｖｅｘ）を、計測装置１内の各構成要素で使用される内部電圧に変換して出力する。例えば、各計測部１１に対して、内部電圧Ｖｉｎを生成して出力する。各電源制御部１３ａ〜１３ｃは、例えば、トランジスタやＦＥＴなどの半導体スイッチや機械式スイッチなどのスイッチで構成され、同図に示すように、各計測部１１ａ〜１１ｃに対応して設けられて、電源部１２によって出力される内部電圧Ｖｉｎの各計測部１１ａ〜１１ｃに対する供給（電源供給）を制御する。具体的には、各電源制御部１３ａ〜１３ｃは、電源部１２と各計測部１１ａ〜１１ｃとの間にそれぞれ配設されて、制御信号Ｓ１〜Ｓ３を入力しているときにのみ、対応する計測部１１ａ〜１１ｃに対して内部電圧Ｖｉｎを供給する。
【００１９】
時計部１４は、現在の時刻を示す時刻データを生成する。また、時計部１４は、制御部１７に対する起動時刻を示す起動時刻データＤｔｗを設定可能に構成されると共に、現在の時刻がこの起動時刻に至ったときに起動信号としての割込信号Ｓ４を生成して制御部１７に出力する。記憶部１５は、本発明における第１記憶部および第２記憶部に相当し、制御部１７の動作を規定する動作プログラム、計測時刻を示す計測時刻データ、および各計測部１１に対するウォームアップ時間Ｔａ，Ｔｂ，Ｔｃを示す時間データを予め記憶すると共に計測データＤ１を記憶する。なお、本発明における第１記憶部と第２記憶部とを別個の記憶部で構成してもよい。通信部１６は、親局２と無線伝送路を介してデータ通信を行うための無線通信機能を備えている。また、通信部１６は、計測データＤ１ａ〜Ｄ１ｃを制御部１７から入力したときには、その計測データＤ１ａ〜Ｄ１ｃを親局２に送信する。一方、通信部１６は、親局２から送信要求コマンドを受信したときには、起動信号としての割込信号Ｓ５を生成して送信要求コマンドの要求内容を示すデータと共に制御部１７に出力する。
【００２０】
制御部１７は、一例として、ＣＰＵを含んで構成されている。また、制御部１７は、割込信号Ｓ４，Ｓ５を入力したときには、休止状態（殆ど電力を消費しない状態）から起動状態に移行して、自らが予め設定した所定の動作を行うと共に、その後に休止状態へ移行する。具体的には、制御部１７は、割込信号Ｓ４を入力したときには、この所定の動作として、各電源制御部１３ａ〜１３ｃに対する制御信号Ｓ１〜Ｓ３の出力、各計測部１１ａ〜１１ｃに対する計測対象機器３ａ〜３ｃについてのパラメータの計測指示、各計測部１１ａ〜１１ｃによって計測された計測対象機器３ａ〜３ｃについての各計測データＤ１ａ〜Ｄ１ｃの入力および記憶部１５への記憶、記憶部１５に記憶されている各計測部１１ａ〜１１ｃに対するウォームアップ時間Ｔａ，Ｔｂ，Ｔｃを示す時間データと計測時刻を示す計測時刻データとに基づく次回の起動時刻の算出および時計部１４への設定、次回の起動時における動作内容の決定および記憶部１５への記憶、並びに記憶部１５に記憶されている計測データＤ１ａ〜Ｄ１ｃの親局２に対する定期的な送信などを行う。なお、制御部１７は、各計測データＤ１ａ〜Ｄ１ｃを記憶部１５に記憶させるときに、一例として計測時刻をタイムスタンプとして各計測データＤ１ａ〜Ｄ１ｃと共に記憶させる。
【００２１】
一方、制御部１７は、割込信号Ｓ５を入力したときには、所定の動作として、割込信号Ｓ５と共に通信部１６から出力されるデータを入力して、このデータの内容（送信要求コマンドの要求内容）を判別して、この要求内容が所定のタイムスタンプについての計測データＤ１の送信要求（以下、「個別送信要求」ともいう）であるときには、要求されているタイムスタンプの計測データＤ１を記憶部１５から読み出すと共に、通信部１６を経由して親局２に送信する。また、制御部１７は、要求内容が一括送信要求であるときには、記憶部１５に現在記憶されているすべての計測データＤ１を記憶部１５から読み出すと共に、通信部１６を経由して親局２に送信する。
【００２２】
次いで、親局２の構成について具体的に説明する。
【００２３】
親局２は、図１に示すように、記憶部２１、通信部２２、および制御部２３を備えている。この場合、制御部２３は、一例として、ＣＰＵを含んで構成されている。また、制御部２３は、通信部２２を介して計測装置１と定期的に通信を行うことにより、計測装置１によって計測された各計測対象機器３についての計測データＤ１および各計測データＤ１についてのタイムスタンプを受信して記憶部２１内における各計測部１１用の記憶領域に記憶させる。また、制御部２３は、定期的に、各計測部１１用の記憶領域に記憶されている各計測データＤ１をタイムスタンプに基づいてチェックして、欠落している計測データＤ１が存在するときには、計測装置１に対して、欠落しているタイムスタンプに対応する計測データＤ１を再送させるための送信要求コマンドをタイムスタンプと共に送信する。また、制御部２３は、欠落の程度が重いとき（計測データＤ１が多数欠落しているとき）は、計測装置１に対して、記憶部１５に記憶されているすべての計測データＤ１の一括送信を要求する旨の送信要求コマンドを送信する。
【００２４】
次に、計測システムＭＳによる計測動作について、図２，３を参照して説明する。
【００２５】
この計測システムＭＳでは、図３に示すように、計測装置１の各計測部１１ａ〜１１ｃが、所定時間Ｔｐ毎に、制御部１７からの指示に基づいて計測対象機器３ａ〜３ｃについてのパラメータをそれぞれ計測して計測データＤ１ａ〜Ｄ１ｃを取得する計測動作を実行する。具体的には、制御部１７は、所定時間Ｔｐ毎に到来する計測時刻Ｔ３，Ｔ６，・・・において休止状態から起動状態に移行して、ウォームアップの完了している各計測部１１ａ〜１１ｃに対して、計測対象機器３ａ〜３ｃについてのパラメータの計測を指示する等の所定の動作を実行すると共に、各計測時刻Ｔ３，Ｔ６，・・・に先立って２回ずつ到来するウォームアップ開始時刻Ｔ１，Ｔ２、およびウォームアップ開始時刻Ｔ４，Ｔ５、・・・において休止状態から起動状態にそれぞれ移行して、各計測部１１ｂ，１１ｃに内部電圧Ｖｉｎをそれぞれ供給することにより、各計測部１１ｂ，１１ｃをウォームアップさせる。以下、制御部１７によるこのウォームアップ動作および計測動作を中心として計測装置１全体の動作について説明する。
【００２６】
計測時刻Ｔ３の１つ前の計測時刻において、制御部１７は、図２に示すように、時計部１４に対する次回の起動時刻の設定、およびその次回の起動時における動作内容の記憶部１５への記憶を実行する（ステップ４０）。具体的には、制御部１７は、この際に、記憶部１５から次回の計測時刻Ｔ３を示す計測時刻データ、および各計測部１１ａ〜１１ｃに対するウォームアップ時間Ｔａ，Ｔｂ，Ｔｃの内の最も長いウォームアップ時間Ｔｃを示す時間データを読み出すと共に、計測時刻Ｔ３を示す計測時刻データとウォームアップ時間Ｔｃとに基づいて次回の起動時刻を算出して時計部１４に起動時刻データＤｔｗとして設定する。より具体的には、計測時刻Ｔ３を示す計測時刻データからウォームアップ時間Ｔｃを減算してウォームアップ開始時刻Ｔ１としての次回の起動時刻Ｔ１を算出する。また、制御部１７は、起動時刻Ｔ１における動作内容を決定する。この場合、起動時刻Ｔ１での所定の動作の内容は、ウォームアップ時間Ｔｃを必要とする計測部１１ｃに対するウォームアップの開始動作となる。つまり、起動時刻Ｔ１は、計測部１１ｃに対するウォームアップ開始時刻を示すことになる。次いで、制御部１７は、ステップ４０を実行した後に休止状態を維持する（起動状態から休止状態に移行する：ステップ４１）。
【００２７】
一方、時計部１４は、現在の時刻を示す時刻データと起動時刻データＤｔｗ（起動時刻Ｔ１を示すデータ）とが一致するか否かを繰り返しチェックすると共に、現在の時刻を示す時刻データと起動時刻データＤｔｗ（起動時刻Ｔ１を示すデータ）とが一致したときに（起動時刻Ｔ１に至ったときに）割込信号Ｓ４を生成して制御部１７に出力する。これにより、図３に示すように、起動時刻Ｔ１に制御部１７が起動する（休止状態から起動状態に移行する：ステップ４２）。起動後においては、制御部１７は、起動時刻Ｔ１において実行する所定の動作の内容を記憶部１５から読み出すことにより、今回の起動が計測部１１に対してウォームアップを開始させるものであるか否か、つまり起動時刻Ｔ１がウォームアップ開始時刻を意味するものであるか否かを判別する（ステップ４３）。この場合、起動時刻Ｔ１がウォームアップ開始時刻のため、制御部１７は、起動時刻Ｔ１がウォームアップ開始時刻であると判別して、計測部１１（ここでは、計測部１１ｃ）に対応する電源制御部１３ｃに制御信号Ｓ３を出力することにより、対応する計測部１１ｃに対する内部電圧Ｖｉｎの供給を開始させる（ステップ４４）。これにより、図３に示すように、計測部１１ｃが起動する。
【００２８】
次いで、制御部１７は、ステップ４０に移行する。このステップ４０では、制御部１７は、記憶部１５から次回の計測時刻Ｔ３を示す計測時刻データ、および残りの各計測部１１ａ，１１ｂに対するウォームアップ時間Ｔａ，Ｔｂの内の最も長いウォームアップ時間Ｔｂを示す時間データを読み出すと共に、計測時刻Ｔ３を示す計測時刻データとウォームアップ時間Ｔｂとに基づいて次回の起動時刻を算出して起動時刻データＤｔｗとして時計部１４に設定する。具体的には、計測時刻Ｔ３を示す計測時刻データからウォームアップ時間Ｔｂを減算して次回の起動時刻Ｔ２を算出して、図３に示すように、時計部１４に設定する。また、制御部１７は、起動時刻Ｔ２において実行する所定の動作の内容を決定して記憶部１５に記憶させる。この場合、起動時刻Ｔ２での所定の動作の内容は、ウォームアップ時間Ｔｂを必要とする計測部１１ｂに対するウォームアップの開始動作となる。つまり、起動時刻Ｔ２は、計測部１１ｂに対するウォームアップ開始時刻を示すことになる。その後、制御部１７は、起動時刻Ｔ２に至った際に、時計部１４によって生成された割込信号Ｓ４を入力して休止状態から起動状態に移行すると共に、前述した起動時刻Ｔ１のときと同様にして、ステップ４１〜ステップ４４を実行することにより、図３に示すように、電源制御部１３ｂに制御信号Ｓ２を出力して計測部１１ｂに対してウォームアップを開始させる。
【００２９】
次いで、制御部１７は、ステップ４０に移行する。このステップ４０では、制御部１７は、記憶部１５から次回の計測時刻Ｔ３を示す計測時刻データ、および残りの計測部１１ａに対するウォームアップ時間Ｔａを示す時間データを読み出すと共に、計測時刻Ｔ３を示す計測時刻データとウォームアップ時間Ｔａとに基づいて次回の起動時刻を算出して起動時刻データＤｔｗとして時計部１４に設定する。具体的には、計測時刻Ｔ３を示す計測時刻データからウォームアップ時間Ｔａを減算して次回の起動時刻とする。また、制御部１７は、起動時刻における所定の動作の内容を決定して記憶部１５に記憶させる。この場合、ウォームアップ時間Ｔａがゼロ時間のため、次回の起動時刻Ｔ３は計測時刻Ｔ３となる。このため、起動時刻Ｔ３は、各計測対象機器３に対する計測時刻を示すことになる。したがって、起動時刻Ｔ３における動作内容としては、計測部１１ａに対する内部電圧Ｖｉｎの供給開始と併せて、各計測部１１に対する計測指示、各計測データＤ１の入力および記憶部１５への記憶、並びに各計測データＤ１の記憶後におけるすべての計測部１１に対する内部電圧Ｖｉｎの供給停止となる。
【００３０】
次いで、制御部１７は、起動状態から休止状態に移行し（ステップ４１）、その後、起動時刻Ｔ３に至った際に、時計部１４によって生成された割込信号Ｓ４を入力して起動する（ステップ４２）。次いで、制御部１７は、記憶部１５から起動時刻（計測時刻）Ｔ３における所定の動作の内容を順次読み出して実行する。この際に、制御部１７は、まず、各計測部１１に対する計測指示が所定の動作の内容に含まれているため、各計測部１１に対するウォームアップが不要と判別して（ステップ４３）、未だ内部電圧Ｖｉｎの供給を受けていない計測部１１に対しては内部電圧Ｖｉｎの供給を開始する（ステップ４５）。具体的には、計測部１１ａがこの計測部１１に該当するため、制御部１７は、電源制御部１３ａに制御信号Ｓ１を出力することにより、図３に示すように、計測部１１ａへの内部電圧Ｖｉｎの供給を開始させる。これにより、ウォームアップの必要な計測部１１ｂ，１１ｃがウォームアップを完了し、ウォームアップの必要でない計測部１１ａが内部電圧Ｖｉｎの供給を受けて起動状態となる結果、すべての計測部１１が計測可能な状態となる。次いで、制御部１７は、各計測部１１に対して各計測対象機器３についてのパラメータの計測指示を同時に行うと共に、各計測部１１によって同時に計測された各計測対象機器３についての各計測データＤ１を入力して、タイムスタンプとしての計測時刻Ｔ３と共に記憶部１５に記憶させる（ステップ４６）。次いで、制御部１７は、制御信号Ｓ１〜Ｓ３の出力を停止してすべての各電源制御部１３による各計測部１１に対する内部電圧Ｖｉｎの供給を停止する（ステップ４７）。これにより、各計測部１１は、図３に示すように、休止状態を維持する
【００３１】
次いで、制御部１７は、ステップ４０に移行する。このステップ４０では、制御部１７は、記憶部１５から次回の計測時刻Ｔ６を示す計測時刻データ、および各計測部１１に対するウォームアップ時間Ｔａ〜Ｔｃの内の最も長いウォームアップ時間Ｔｃを示す時間データを読み出すと共に、計測時刻Ｔ６を示す計測時刻データとウォームアップ時間Ｔｃとに基づいて次回の起動時刻Ｔ４を算出して時計部１４に起動時刻データＤｔｗとして設定する。以後、制御部１７は、前述した各ステップ４１〜４７，４０を繰り返し実行することにより、各計測部１１ｃ，１１ｂをそれぞれ起動時刻Ｔ４，Ｔ５の時点でウォームアップを開始させると共に計測時刻Ｔ６の時点で計測部１１ａに内部電圧Ｖｉｎを供給して、その計測時刻Ｔ６において各計測部１１に対して各計測データＤ１を計測させ、かつタイムスタンプとしての計測時刻Ｔ６と併せてその各計測データＤ１を記憶部１５に記憶させる。その後、制御部１７は、前述した各ステップ４０〜４７を繰り返し実行することにより、記憶部１５に記憶されている他の各計測時刻において、前述したウォームアップ開始時刻（起動時刻）Ｔ１，Ｔ２および計測時刻Ｔ３や、ウォームアップ開始時刻（起動時刻）Ｔ４，Ｔ５および計測時刻Ｔ６のときと同様にして、計測部１１ｂ，１１ｃのウォームアップを実行しつつ、各計測部１１に対して各計測データＤ１を順次計測させると共にタイムスタンプとしての各計測時刻と併せて記憶部１５に記憶させることにより、各計測対象機器３に対する計測処理を繰り返し実行する。
【００３２】
また、制御部１７は、前述した各ステップ４０〜４７を繰り返し実行しつつ、各計測対象機器３についてのパラメータの計測を所定回数実行する都度、各計測時刻における起動時において、当該起動時刻までの未送信分の各計測データＤ１をタイムスタンプと共に親局２に送信する。一方、各計測データＤ１およびタイムスタンプを受信した親局２は、これらを記憶部２１に順次記憶させて蓄積する。
【００３３】
一方、親局２では、定期的に、各計測部１１ａ〜１１ｃ用の記憶領域に蓄積（記憶）されている各計測対象機器３ａ〜３ｃについての計測データＤ１ａ〜Ｄ１ｃの欠落の有無をタイムスタンプに基づいてチェックする。この結果、一部の計測データＤ１ａ〜Ｄ１ｃが欠落しているときは、親局２は、計測装置１に対して、欠落しているタイムスタンプに対応する計測データＤ１ａ〜Ｄ１ｃを個別に再送させるための個別送信要求コマンドをタイムスタンプと共に送信する。この際に、計測装置１では、通信部１６が、この送信要求コマンドを受信して、割込信号Ｓ５を生成すると共に、生成した割込信号Ｓ５および送信要求コマンドの要求内容を示すデータを制御部１７に出力する。制御部１７は、図２に示すように、この割込信号Ｓ５を入力したときに起動して（ステップ５０）、入力したデータに基づいて送信要求コマンドの要求内容を判別する（ステップ５１）。この場合、送信要求コマンドの要求内容が欠落しているタイムスタンプに対応する一部の計測データＤ１を再送する個別送信要求のため、制御部１７は、要求内容が一括送信でないと判別して、該当するタイムスタンプに対応する計測データＤ１を記憶部１５から読み出してタイムスタンプと共に通信部１６に出力する。これにより、計測装置１から親局２に対して、欠落しているタイムスタンプに対応する一部の計測データＤ１の個別送信（再送）が行われる（ステップ５２）。次いで、親局２では、制御部２３が、通信部２２を経由して欠落していた計測データＤ１を受信して、受信した計測データＤ１を記憶部２１に記憶させる。一方、計測装置１では、制御部１７が、通信部１６に対する計測データＤ１およびタイムスタンプの出力を完了した後に、ステップ４１に移行して休止状態を維持する。
【００３４】
また、親局２では、制御部２３が、記憶部２１に記憶されている計測データＤ１の欠落をタイムスタンプに基づいてチェックして計測データＤ１ａ〜Ｄ１ｃが多数欠落していると判別したときには、計測装置１に対して、記憶部１５に記憶されているすべての計測データＤ１の一括送信（再送）を要求する旨の一括送信要求コマンドを通信部２２を経由して送信する。この際に、計測装置１では、通信部１６が、この送信要求コマンドを受信して割込信号Ｓ５を生成すると共に、生成した割込信号Ｓ５および送信要求コマンドの要求内容を示すデータを制御部１７に出力する。次いで、制御部１７は、図２に示すように、この割込信号Ｓ５を入力したときに起動して（ステップ５０）、送信要求コマンドの要求内容を判別する（ステップ５１）。この場合、送信要求コマンドの要求内容が一括送信のため、制御部１７は、すべての計測データＤ１を記憶部１５から読み出してタイムスタンプと共に通信部１６に一括出力する。これにより、計測装置１から親局２に対して、計測装置１に現在記憶されているすべての計測データＤ１がタイムスタンプと共に一括送信（再送）される（ステップ５３）。次いで、親局２では、制御部２３が、通信部２２を経由して受信した計測データＤ１を記憶部２１に記憶させる。この後、制御部１７は、通信部１６に対する計測データＤ１およびタイムスタンプの出力を完了した後に、ステップ４１に移行して休止状態を維持する。
【００３５】
このように、この計測装置１によれば、各計測部１１に電源制御部１３を設けると共に、制御部１７が各計測部１１に必要なウォームアップ時間Ｔａ，Ｔｂ，Ｔｃと計測時刻Ｔ３，Ｔ６，・・とに基づいて決定されるウォームアップ開始時刻（起動時刻）Ｔ１，Ｔ２，Ｔ４，Ｔ５，・・毎に一旦起動してウォームアップ開始時刻に至った計測部１１に対応する電源制御部１３に検出信号Ｓ１〜Ｓ３を出力して、計測部１１に対する内部電圧Ｖｉｎの供給を開始させることにより、計測時刻Ｔ３，Ｔ６，・・までの各計測部１１ａ，１１ｂの起動時間（ウォームアップ時間）を必要最小限に抑制することができる。このため、各計測部１１ａ，１１ｂにおける消費電力を必要最小限に抑えることができる結果、ウォームアップに最も長時間を必要とする計測部１１に合わせて他の計測部１１も同時にウォームアップさせる方法と比較して、計測装置１全体としての消費電力を大幅に低減することができる。さらに、各計測部１１ｂ，１１ｃに対する内部電圧Ｖｉｎの供給を開始させた後に、制御部１７がその都度休止状態に移行することにより、次のウォームアップ開始時刻または次の計測時刻までの制御部１７の消費電力を十分に低減させることができる。したがって、計測装置１全体としての消費電力をさらに低減することができる。また、ウォームアップを必要とするすべての計測部１１がウォームアップを完全に完了した状態において各計測対象機器３のパラメータを計測させることができる結果、高精度の計測を行うことができる。
【００３６】
また、この計測装置１によれば、制御部１７が、起動する都度、記憶部１５に記憶されている各ウォームアップ時間Ｔａ，Ｔｂ，Ｔｃと計測時刻Ｔ３とに基づいて次回の起動時刻を算出して時計部１４に設定することにより、すべての起動時刻を記憶部１５に予め記憶させておく必要がなくなるため、記憶部１５に記憶させる起動時刻についてのデータ量を少なくさせることができる。したがって、より記憶容量の小さいより安価なメモリ等で記憶部１５を構成することができるため、計測装置１の製品コストを十分に低減することができる。また、この計測装置１を子局として使用して、通信部１６を経由して子局から親局２に計測データＤ１を送信して親局２に記憶（蓄積）させることにより、低消費電力で、しかも測定精度の高い計測システムを構成することができる。
【００３７】
また、この計測装置１によれば、制御部１７が計測データＤ１を入力して記憶部１５に記憶させると共に、親局２からの要求に応じて記憶部１５に記憶されているすべての計測データＤ１を親局２に一括送信する構成を採用したことにより、何らかの原因によって親局２に記憶（蓄積）されていた計測データＤ１が多数欠落したときであっても、計測装置１に記憶されている範囲内において、親局２内に計測データＤ１を迅速に復元することができる。特に、計測データＤ１がタイムスタンプと共に欠落したときには、通常行われるタイムスタンプに基づく計測装置１に対する計測データＤ１の送信要求が親局２側から行うことが困難となるが、この一括送信を実行することにより、タイムスタンプも含めて計測データＤ１の復元を迅速かつ容易に行うことができる。なお、この一括送信に関しては、計測期間を指定して一括送信させる構成を採用することもできる。
【００３８】
なお、本発明は、上記した実施の形態に限定されない。例えば、上記の実施の形態では、計測装置１が１つの例について説明したが、複数の計測装置１を有する計測システムＭＳにおいても本発明を適用できるのは勿論である。また、計測装置１と親局２とを無線伝送路を介して通信可能に構成した例について説明したが、有線伝送路を介して通信可能に構成することもできる。
【００３９】
【発明の効果】
以上のように、請求項１記載の計測装置によれば、制御部が、第１記憶部に記憶されている計測時刻とウォームアップ時間とに基づいて決定される各計測部に対するウォームアップ開始時刻毎に起動してウォームアップ開始時刻に至った計測部に対応する電源制御部を制御することによって計測部に対する電源供給を開始させた後に休止すると共に、計測時刻に再度起動してウォームアップ完了状態の複数の計測部に対して計測データを取得させた後に休止することにより、計測時刻までの各計測部の起動時間（ウォームアップ時間）を必要最小限に抑制することができる。このため、各計測部における消費電力を必要最小限に抑えることができる結果、ウォームアップに最も長時間を必要とする計測部に合わせて他の計測部も同時にウォームアップを開始させる方法と比較して、計測装置全体として大幅な省電力化を図ることができる。さらに、各計測部に対する電源供給を電源制御部に開始させた後に、制御部がその都度休止状態に移行することにより、次のウォームアップ開始時刻または次の計測時刻までの制御部の消費電力を十分に低減させることができる。したがって、計測装置全体としての消費電力をさらに低減することができる。また、ウォームアップを必要とするすべての計測部がウォームアップを完全に完了した状態において各計測対象機器のパラメータを計測させることができる結果、高精度の計測を行うことができる。
【００４０】
また、請求項２記載の計測装置によれば、制御部が、起動状態のときに、各ウォームアップ時間と計測時刻とに基づいて次回の起動時刻を算出すると共に算出した次回の起動時刻においてウォームアップ開始時刻または計測時刻として起動することにより、すべての起動時刻を第１記憶部に予め記憶させておく必要がなくなるため、第１記憶部に記憶させる起動時刻についてのデータ量を少なくさせることができる。したがって、より記憶容量の小さいより安価なメモリ等で第１記憶部を構成することができるため、計測装置の製品コストを十分に低減することができる。
【００４１】
また、請求項３記載の計測装置によれば、制御部が通信部を経由して親局に計測データを送信するように構成したことにより、この計測装置を子局として使用して、通信部を経由して子局から親局に計測データを送信して親局に記憶（蓄積）させることにより、低消費電力で、しかも測定精度の高い計測システムを構成することができる。
【００４２】
また、請求項４記載の計測装置によれば、制御部が計測データを入力して第２記憶部に記憶させると共に、親局からの要求に応じて第２記憶部に記憶されているすべての計測データを親局に送信することにより、何らかの原因によって親局に記憶（蓄積）されていた計測データが多数欠落したときであっても、計測装置に記憶されている範囲内において、親局内に計測データを迅速に復元することができる。特に、計測データがタイムスタンプと共に欠落したときには、通常行われるタイムスタンプに基づく計測装置に対する計測データの送信要求が親局側から行うことが困難となるが、この一括送信を実行することにより、タイムスタンプも含めて計測データの復元を迅速かつ容易に行うことができる。
【図面の簡単な説明】
【図１】計測装置１および親局２を含む計測システムＭＳの構成を示すブロック図である。
【図２】計測システムＭＳにおける計測装置１の動作を説明するためのフローチャートである。
【図３】計測装置１における計測部１１に対するウォームアップ動作および計測動作を説明するためのタイミングチャートである。
【符号の説明】
１  計測装置
２  親局
３ａ〜３ｃ  計測対象機器
１１ａ〜１１ｃ  計測部
１２  電源部
１３ａ〜１３ｃ  電源制御部
１４  時計部
１５，２１  記憶部
１６，２２  通信部
１７，２３  制御部
Ｄ１ａ〜Ｄ１ｃ  計測データ
ＭＳ  計測システム
Ｔ１，Ｔ２，Ｔ４，Ｔ５  ウォームアップ開始時刻（起動時刻）
Ｔ３，Ｔ６  計測時刻
Ｔａ〜Ｔｃ  ウォームアップ時間
【図１】
2004354118.tif 000003
【図２】
2004354118.tif 000004
【図３】
2004354118.tif 000005